(57)【要約】【課題】  四つの枠部材を容易に枠組みすることができ、かつ枠部材の枠内側面において長手方向に長いリブを設けることのできる遊技機の外枠を提供する。【解決手段】  アルミニウム製の四つの枠部材を矩形状に枠組みして形成された遊技機の外枠であって、枠組みした状態で隣り合う枠部材３，５同士の一方の枠部材５には、枠内側面から突出し該枠部材の長手方向に延出する雄用リブ５ｄが形成されている。他方の枠部材３には、枠内側面から突出し該枠部材の長手方向に延出する一対の雌用リブ３ｄ，３ｅが形成されている。そして一つの雌用リブ３ｄの先端部には、他方の雌用リブ３ｅに向けて張出す張出部３ｄ１が形成されており、張出部３ｄ１と雌用リブ３ｅとの間に形成された雌空間部３ｇに雄用リブ５ｄが設置されている。【選択図】        図６
2006340967.tif 000002
【特許請求の範囲】
【請求項１】
金属製または樹脂製の四つの枠部材を矩形状に枠組みして形成された遊技機の外枠であって、
枠組みした状態で隣り合う枠部材同士の一方の枠部材には、枠内側面から突出し該枠部材の長手方向に延出する雄用リブが形成されており、他方の枠部材には、枠内側面から突出し該枠部材の長手方向に延出する一対の雌用リブが形成されており、
前記一対の雌用リブの少なくとも一つの雌用リブの先端部には、前記一対の他方の雌用リブに向けて張出す張出部が形成されており、その張出部と前記他方の雌用リブとの間に形成された雌空間部に前記雄用リブが設置されていることを特徴とする遊技機の外枠。
【発明の詳細な説明】
【技術分野】
【０００１】
本発明は、四つの枠部材を矩形状に枠組みして形成されたパチンコ機やスロットマシンなどの遊技機の外枠に関する。
【背景技術】
【０００２】
従来、特許文献１に記載の遊技機の外枠などが知られている。
特許文献１に記載の外枠は、樹脂製の上下二つの枠部材と、アルミニウム製の左右二つの枠部材を有している。樹脂製の上下の各枠部材には、左右両端部の枠内側面から突出する突出部が形成されている。各突出部は、枠部材の左右両端縁に沿って短手方向に沿って延出しており、各突出部には、ボルトの足部が挿通される挿通孔が形成されている。アルミニウム製の左右の枠部材には、上下両端部寄りにボルトの足部が挿通される取付孔が形成されており、その取付孔と突出部に形成された取付孔にボルトを挿通させることによって、左右の枠部材と上下の枠部材とが結合されている。
ところでアルミニウム製または樹脂製の枠部材は、薄長板形状にするために、長手方向の曲げ強度を強くしたいという要望がある。とりわけ見栄え等の影響の少ない枠内側面に長手方向に延出するリブを設けることによって、長手方向の曲げ強度を強くしたいという要望がある。
【特許文献１】特開２００２−２８３３０号公報
【発明の開示】
【発明が解決しようとする課題】
【０００３】
ところが特許文献１の外枠は、枠内側面において長手方向に延出するリブを設けることが容易でない構造になっていた。例えば、上下の樹脂製の枠部材には、左右両端部の枠内側面に突出部が形成されているため、長手方向に長いリブを設けることが容易でない構造になっていた。また左右のアルミニウム製の枠部材には、上下枠部材両端部の突出部を設置するためのスペースを確保する必要があるため、長手方向に長いリブを設けることが容易でない構造になっていた。
また従来、四つの枠部材を枠組みする作業を容易にしたいという要望もあった。
そこで本発明は、四つの枠部材を容易に枠組みすることができ、かつ枠部材の枠内側面において長手方向に長いリブを設けることのできる遊技機の外枠を提供することを課題とする。
【課題を解決するための手段】
【０００４】
前記課題を解決するために本発明は、請求項に記載の通りの構成を備える遊技機の外枠であることを特徴とする。
請求項１に記載の発明によると、金属製または樹脂製の四つの枠部材を矩形状に枠組みして形成された遊技機の外枠であって、枠組みした状態で隣り合う枠部材同士の一方の枠部材には、枠内側面から突出し該枠部材の長手方向に延出する雄用リブが形成されている。他方の枠部材には、枠内側面から突出し該枠部材の長手方向に延出する一対の雌用リブが形成されている。そして一対の雌用リブの少なくとも一つの雌用リブの先端部には、一対の他方の雌用リブに向けて張出す張出部が形成されており、その張出部と他方の雌用リブとの間に形成された雌空間部に雄用リブが設置されている。
【０００５】
したがって枠部材は、枠内側面に少なくとも長手方向に延出する雄用リブまたは一対の雌用リブを有している。そのため枠部材は、これらリブによって長手方向の曲げ強度が強くなっている。しかも雄用リブが一対の雌用リブの間に設置されているため、雄用リブと一対の雌用リブは、相互の位置関係によって長手方向の長さを長くできないという問題が生じない。そのためこれらリブを十分に長手方向に長くし得る構成になっている。
また雄用リブを一対の雌用リブの間に形成された雌空間部に設置するために、隣り合う枠部材は、これらリブによって位置決めされた状態にて組付けられる。
また一対の雌用リブの少なくとも一方には、張出部が形成されている。そのため雌用リブ自体の強度が高くなっている。しかも雌空間部は、張出部の張出し長さによって容易に雄用リブの形状に対応させた幅長さに設計変更し得る構成にもなっている。
【発明の効果】
【０００６】
本発明によると、四つの枠部材を容易に枠組みすることができ、かつ枠部材の枠内側面において長手方向に長いリブを設けることができる。
【発明を実施するための最良の形態】
【０００７】
本発明の実施の形態を図１〜７にしたがって説明する。
パチンコ機（遊技機）は、図１に示すように四つの枠部材２〜５を矩形状に枠組みして形成された外枠１と、その外枠１に回動可能に取付けられる前枠３０を有している。
外枠１は、図１，２に示すようにアルミニウム製の上下の枠部材２，５と左右の枠部材３，４と、枠部材２〜５を結合する結合部材１１〜１４と、アルミニウム製の幕板６を有している。
【０００８】
上の枠部材２は、図３〜５に示すように左右方向に延出し、上面である枠外側面に前端リブ２ａと後端リブ２ｂ，２ｃを一体に有している。そして枠部材２は、下面である枠内側面に前端リブ２ｆと中央リブ２ｇと雄用リブ２ｅを一体に有している。
枠外側面の前端リブ２ａは、図３に示すように枠部材２の枠外側面の前端縁から上方（枠外方）に突出し、前端縁に沿って長手方向のほぼ全長に渡って延出している。
後端リブ２ｂは、枠部材２の枠外側面の後端縁から上方に突出し、後端縁左側に沿って長手方向の長さ約三分の一に渡って延出している。もう一つの後端リブ２ｃは、枠部材２の枠外側面の後端縁から上方に突出し、後端縁右側に沿って長手方向の長さ約三分の一に渡って延出している。
【０００９】
枠内側面の前端リブ２ｆは、枠部材２の枠内側面の前端縁から下方（枠中心方向）に突出し、前端縁に沿って長手方向全長に渡って延出している。
枠内側面の中央リブ２ｇは、枠部材２の枠内側面の前後中央寄り部から下方に突出し、前端リブ２ｆと並行に長手方向全長に渡って延出している。中央リブ２ｇの先端部には、後側に張出す張出部２ｇ１が形成されており、張出部２ｇ１は、中央リブ２ｇの全長に渡って形成されている。
雄用リブ２ｅは、図４，５に示すように枠部材２の枠内側面の後端縁から所定距離だけ前側の位置から下方に突出し、後端縁と並行に長手方向全長に渡って延出している。雄用リブ２ｅの先端部には、前側に張出す張出部２ｅ１が形成されており、張出部２ｅ１は、雄用リブ２ｅの全長に渡って形成されている。
【００１０】
右の枠部材４は、図１，４，５に示すように上下方向に延出し、右面である枠外側面に前端リブ４ａと後端リブ４ｂを一体に有している。そして枠部材４は、左面である枠内側面に中央リブ４ｆと一対の雌用リブ４ｄ，４ｅを一体に有している。
前端リブ４ａと後端リブ４ｂは、図１に示すように枠部材４の枠外側面の前後両縁から右方向に突出し、前後両端縁に沿って長手方向全長に渡って延出している。
【００１１】
中央リブ４ｆは、図４，５に示すように枠部材４の枠内側面の前後中央寄りから左方向に突出し、枠部材４の長手方向全長に渡って延出している。
雌用リブ４ｄは、枠部材４の枠内側面の後端縁から左方向に突出し、後端縁に沿って長手方向全長に渡って延出している。雌用リブ４ｄの先端部には、前側に張出す張出部４ｄ１が形成されており、張出部４ｄ１は、雌用リブ４ｄの全長に渡って形成されている。
【００１２】
もう一つの雌用リブ４ｅは、図４，５に示すように雌用リブ４ｄよりも所定距離だけ前寄りの枠内側面から左方向に突出し、雌用リブ４ｄと並行に長手方向全長に渡って延出している。雌用リブ４ｅの先端部には、後側に張出す張出部４ｅ１が形成されており、張出部４ｅ１は、雌用リブ４ｅの全長に渡って形成されている。
一対の雌用リブ４ｄ，４ｅの張出部４ｄ１，４ｅ１の間には、雌空間部４ｇが形成されている。そして雌空間部４ｇに雄用リブ２ｅが設置され、その状態において枠部材２，４が結合される。
【００１３】
下の枠部材５は、図６，７に示すように左右方向に延出し、下面である枠外側面に前端リブ５ａと後端リブ５ｂを一体に有している。そして枠部材５は、上面である枠内側面に中央リブ５ｅと雄用リブ５ｄを一体に有している。
前端リブ５ａと後端リブ５ｂは、枠部材５の枠外側面の前後両縁から下方に突出し、前後両端縁に沿って長手方向全長に渡って延出している。
【００１４】
中央リブ５ｅは、図６，７に示すように枠部材５の枠内側面の前後中央寄りから上方に突出し、長手方向全長に渡って延出している。中央リブ５ｅの先端部には、後側に張出す張出部５ｅ１が形成されており、張出部５ｅ１は、中央リブ５ｅの全長に渡って形成されている。
雄用リブ５ｄは、枠部材５の後端縁から所定距離だけ前側の位置の枠内側面から上方に突出し、長手方向全長に渡って延出している。雄用リブ５ｄの先端部には、前側に張出す張出部５ｄ１が形成されており、張出部５ｄ１は、雄用リブ５ｄの全長に渡って形成されている。
【００１５】
下の枠部材５の前端部には、図６，７に示すように幕板６が一体に形成されている。この幕板６は、図２に示すように枠部材２〜５を矩形状に枠組みした状態において左右の枠部材３，４の前面側にて左右の枠部材３，４間に渡って延出する。
【００１６】
左の枠部材３は、図３に示すように上下方向に延出し、左面である枠外側面に前端リブ３ａと後端リブ３ｂを一体に有している。そして枠部材３は、図６，７に示すように右面である枠内側面に中央リブ３ｆと一対の雌用リブ３ｄ，３ｅを一体に有している。
前端リブ３ａと後端リブ３ｂは、図３に示すように枠部材３の枠外側面の前後両縁から左方向に突出し、前後両端縁に沿って長手方向全長に渡って延出している。
【００１７】
中央リブ３ｆは、図６，７に示すように枠部材３の枠内側面の前後中央寄りから右方向に突出し、長手方向全長に渡って延出している。
雌用リブ３ｄは、枠部材３の枠内側面の後端縁から枠中心方向に突出し、後端縁に沿って長手方向全長に渡って延出している。雌用リブ３ｄの先端部には、前側に張出す張出部３ｄ１が形成されており、張出部３ｄ１は、雌用リブ３ｄの全長に渡って形成されている。
【００１８】
雌用リブ３ｅは、雌用リブ３ｄよりも所定距離だけ前側の枠内側面から枠中心方向に突出し、雌用リブ３ｄと並行に長手方向全長に渡って延出している。
そして雌用リブ３ｅの壁面と雌用リブ３ｄの張出部３ｄ１との間には、雌空間部３ｇが形成されている。そして雌空間部３ｇに雄用リブ５ｄが設置され、その状態において枠部材３，５が結合される。
【００１９】
下の枠部材５と右の枠部材４は、図２に示すように枠組みした状態において隣り合う枠部材である。そしてこれらは、雄用リブ５ｄ（図７参照）を一対の雌用リブ４ｄ，４ｅの間の雌空間部４ｇ（図５参照）に設置した状態において結合される。
また上の枠部材２と左の枠部材３は、図３に示すように枠組みした状態において隣り合う枠部材である。そしてこれらは、雄用リブ２ｅ（図５参照）を一対の雌用リブ３ｄ，３ｅ間の雌空間部３ｇ（図７参照）に設置した状態において結合される。
【００２０】
結合部材１１〜１４は、図３に示すように鋼材などの金属材から形成されるＬ字金具であって、第一板部１１ａ〜１４ａと、第一板部１１ａ〜１４ａの側縁に立設する第二板部１１ｂ〜１４ｂを一体に有している。そして第一板部１１ａ〜１４ａと第二板部１１ｂ〜１４ｂには、ボルトの足部が挿入される取付孔１１ｃ〜１４ｃが形成されている。
【００２１】
結合部材１１の第一板部１１ａは、図３に示すように上の枠部材２の前端リブ２ａと後端リブ２ｂ間の枠外側面の左端部に設置される。
結合部材１１の第二板部１１ｂは、左の枠部材３の前端リブ３ａと後端リブ３ｂ間の枠外側面の上端部に設置される。
結合部材１２〜１４の第一板部１２ａ〜１４ａと第二板部１２ｂ〜１４ｂは、枠部材２〜４の前端リブ２ａ〜５ａと後端リブ２ｃ，３ｂ〜５ｂの間の枠外側面に設置される。
【００２２】
結合部材１１〜１４の取付孔１１ｃ〜１４ｃには、ボルトの足部が挿入され、そのボルトの足部が枠部材２〜５に形成された貫通孔２ｄ，３ｃ〜５ｃに貫通され、その先端部にナットが螺合される。このようにして結合部材１１〜１４が枠部材２〜５に取付けられ、四つの枠部材２〜５が結合部材１１〜１４によって矩形状に枠組みされる。
【００２３】
外枠１は、図１に示すように前枠３０を回動可能に保持するために、下蝶番固定部材７と結合部材１１に形成された軸受部１１ｄを有している。
下蝶番固定部材７は、幕板６の上面に取付けられる取付板部７ａと、左の枠部材３に取付けられる取付板部７ｂ，７ｃと、取付板部７ａの前端において上方に突出する回動支持部７ｄを有している。
軸受部１１ｄは、図３に示すように外枠１の左上角部に取付けられる結合部材１１に一体に形成されている。軸受部１１ｄは、結合部材１１の第一板部１１ａの左側前端縁から前方に鉤針状に延出し、前端リブ２ａを有していない枠部材２の左端部から枠部材２の前方に張出している。
【００２４】
前枠３０は、図１に示すように板材であって、中央に開口部３０ａを有している。そして前枠３０には、図示省略の遊技盤や各種の機構装置、部品類などが取付けられる。
前枠３０の一側縁下部には、外枠１の下蝶番固定部材７に回動可能に設置される下蝶番可動部材３１が取付けられている。そして一側縁上部には、外枠１の軸受部１１ｄに回動可能に掛け止められる上蝶番可動部材３２が取付けられている。
【００２５】
以上のようにして外枠１および前枠３０が形成されている。
すなわち外枠１は、図３に示すようにアルミニウム製の四つの枠部材２〜５を矩形状に枠組みして形成される。そして枠組みした状態で隣り合う枠部材２〜５同士の一方の枠部材２，５には、図４，６に示すように枠内側面から突出し該枠部材２，５の長手方向に延出する雄用リブ２ｅ，５ｄが形成されている。他方の枠部材３，４には、枠内側面から突出し枠部材３，４の長手方向に延出する一対の雌用リブ３ｄ，３ｅ，４ｄ，４ｅが形成されている。そして一対の雌用リブ３ｄ，３ｅ，４ｄ，４ｅの少なくとも一つの雌用リブ３ｄ，４ｄ，４ｅの先端部には、一対の他方の雌用リブ３ｅ，４ｄ，４ｅに向けて張出す張出部３ｄ１，４ｄ１，４ｅ１が形成されており、その張出部３ｄ１，４ｄ１，４ｅ１と他方の雌用リブ３ｅ，４ｄ，４ｅとの間に形成された雌空間部３ｇ，４ｇに雄用リブ２ｅ，５ｄが設置されている。
【００２６】
したがって枠部材２〜５は、枠内側面に少なくとも長手方向に延出する雄用リブ２ｅ，５ｄまたは一対の雌用リブ３ｄ，３ｅ，４ｄ，４ｅを有している。そのため枠部材２〜５は、これらリブ（２ｅ，３ｄ，３ｅ，４ｄ，４ｅ，５ｄ）によって長手方向の曲げ強度が強くなっている。しかも雄用リブ２ｅ，５ｄが一対の雌用リブ３ｄ，３ｅ，４ｄ，４ｅの間に設置されているため、雄用リブ２ｅ，５ｄと一対の雌用リブ３ｄ，３ｅ，４ｄ，４ｅは、相互の位置関係によって長手方向の長さを長くできないという問題が生じない。そのためこれらリブ（２ｅ，３ｄ，３ｅ，４ｄ，４ｅ，５ｄ）を十分に長手方向に長くし得る構成になっている。
【００２７】
また雄用リブ２ｅ，５ｄを一対の雌用リブ３ｄ，３ｅ，４ｄ，４ｅの間に形成された雌空間部３ｇ，４ｇに設置するために、隣り合う枠部材２〜５は、これらリブ（２ｅ，３ｄ，３ｅ，４ｄ，４ｅ，５ｄ）によって位置決めされた状態にて組付けられる。
また一対の雌用リブ３ｄ，３ｅ，４ｄ，４ｅの少なくとも一方には、張出部３ｄ１，４ｄ１，４ｅ１が形成されている。そのため雌用リブ３ｄ，４ｄ，４ｅ自体の強度が高くなっている。しかも雌空間部３ｇ，４ｇは、張出部３ｄ１，４ｄ１，４ｅ１の張出し長さによって容易に雄用リブ２ｅ，５ｄの形状に対応させた幅長さに設計変更し得る構成にもなっている。
【００２８】
（他の実施の形態）
本発明は、上記の実施の形態に限定されず、以下の形態であっても良い。
（１）すなわち上記の実施の形態では、枠部材がアルミニウム製であった。しかし枠部材が他の金属あるいは樹脂からなる金属製または樹脂製の枠部材であっても良い。
（２）また上記の実施の形態に係る外枠は、上下の枠部材に雄用リブが設けられており、左右の枠部材に一対の雌用リブが設けられていた。しかし左右の枠部材に雄用リブが設けられ、上下の枠部材に一対の雌用リブが設けられる形態であっても良い。
【図面の簡単な説明】
【００２９】
【図１】外枠の前側からの斜視図である。
【図２】外枠の後側からの斜視図である。
【図３】枠組み途中の外枠の斜視図である。
【図４】図３のＢ領域における上の枠部材と右の枠部材の一部断面斜視図である。
【図５】図４における組付け前の上の枠部材と右の枠部材の一部断面斜視図である。
【図６】図２のＡ領域における下の枠部材と左の枠部材の一部断面斜視図である。
【図７】図６における組付け前の下の枠部材と左の枠部材の一部断面斜視図である。
【符号の説明】
【００３０】
１…外枠
２〜５…枠部材
２ａ，２ｆ，３ａ，４ａ，５ａ…前端リブ
２ｂ，２ｃ，３ｂ，４ｂ，５ｂ…後端リブ
２ｅ，５ｄ…雄用リブ
２ｇ，３ｆ，４ｆ，５ｅ…中央リブ
２ｅ１，２ｇ１，３ｄ１，４ｄ１，４ｅ１，５ｄ１，５ｅ１…張出部
３ｄ，３ｅ，４ｄ，４ｅ…雌用リブ
３ｇ，４ｇ…雌空間部
６…幕板
１１〜１４…結合部材
３０…前枠
【図１】
2006340967.tif 000003
【図２】
2006340967.tif 000004
【図３】
2006340967.tif 000005
【図４】
2006340967.tif 000006
【図５】
2006340967.tif 000007
【図６】
2006340967.tif 000008
【図７】
2006340967.tif 000009